(57)【要約】【課題】  屋根上等に設置する太陽光発電パネル等の取付け枠桟を、簡単な作業で取付け固定することができる固定装置を提供する。【解決手段】  太陽光発電陽光発電パネルＰ等を屋根上等に設置するための取付け枠桟用の固定装置であって、屋根部材Ｗ側に固定される固定部材１と、固定部材１に対し屋根の流れ方向への移動可能に組付けられかつ上面に取付け枠桟Ｙを載置する可動部材２と、可動部材２に対し取付け枠桟Ｙの一部を係合固止する固止部材３とを備え、固定部材１には可動部材２が当接され可動部材２の流れ方向における下方端の位置を規制する規制部８を設け、可動部材２の一方側には取付け枠桟Ｙの一部と係合して固止する係合固止部１２を形成するとともに、係合固止部１２と対向する他方側には固止部材３の締め付け固止用の取付け部１３を形成したものである。【選択図】  図１ 
2005314898.tif 000002
【特許請求の範囲】
【請求項１】
太陽光発電パネル等を屋根上等に設置するための取付け枠桟用の固定装置であって、屋根部材側に固定される固定部材と、該固定部材に対し屋根の流れ方向への移動可能に組付けられかつ上面に前記取付け枠桟を載置する可動部材と、該可動部材に対し取付け枠桟の一部を係合固止する固止部材とを備え、前記固定部材には前記可動部材が当接され該可動部材の流れ方向における下方端の位置を規制する規制部を設け、前記可動部材の一方側には前記取付け枠桟の一部と係合して固止する係合固止部を形成するとともに、該係合固止部と対向する他方側には前記固止部材の締め付け固止用の取付け部を形成してなるを特徴とする太陽光発電パネル等を屋根上等に設置するための取付け枠桟用の固定装置。
【請求項２】
請求項１記載の太陽光発電パネル等を屋根上等に設置するための取付け枠桟用の固定装置であって、前記固定部材の基板は屋根の流れ方向上方に指向される先端面を、先端を尖らせた斜状に形成し、該基板には前記屋根部材側に固定するための締付け固定部材が挿通される取付け孔を形成するとともに、該取付け孔周囲を該基板面から上方に隆起してなるを特徴とする太陽光発電パネル等を屋根上等に設置するための取付け枠桟用の固定装置。
【請求項３】
請求項１または２記載の太陽光発電パネル等を屋根上等に設置するための取付け枠桟用の固定装置であって、前記固定部材に対し可動部材を移動可能にかつ該固定部材からの抜脱不能に一体的に組み付けたことを特徴とする太陽光発電パネル等を屋根上等に設置するための取付け枠桟用の固定装置。
【請求項４】
請求項３記載の太陽光発電パネル等を屋根上等に設置するための取付け枠桟用の固定装置であって、前記可動部材には固定部材を固定する工具挿入用の操作空所を形成したことを特徴とする太陽光発電パネル等を屋根上等に設置するための取付け枠桟用の固定装置。
【請求項５】
請求項１〜４記載のいずれか１の請求項記載の太陽光発電パネル等を屋根上等に設置するための取付け枠桟用の固定装置であって、係合固止部を可動部材の基板に対して所望の角度に傾斜した斜状係合固止部となしたことを特徴とする太陽光発電パネル等を屋根上等に設置するための取付け枠桟用の固定装置。
【請求項６】
請求項５記載の太陽光発電パネル等を屋根上等に設置するための取付け枠桟用の固定装置であって、前記固止部材には前記斜状係合固止部に対向する斜状固止片が形成可能に構成されたことを特徴とする太陽光発電パネル等を屋根上等に設置するための取付け枠桟用の固定装置。
【発明の詳細な説明】
【技術分野】
【０００１】
本発明は、太陽光発電パネルや太陽熱温水パネル等（本明細書ではこれを総称して太陽光発電パネル等という）を屋根上等に設置するための取付け枠桟用の固定装置に関する。
【背景技術】
【０００２】
従来、この種の太陽光発電パネル等を屋根上等に設置するための取付け枠桟用の固定装置にあっては、種々の構造のものが案出されているが、例えば、所望の形状に曲折形成した架台支持具を屋根に固定し、この架台支持具の曲折先端部の上部に対し、取付け枠桟を構成する支持杆材を、該支持杆材に形成された長孔を介してボルト着され、この支持杆材に対し取付け枠桟を構成するパネル取付杆材を断面クランク状の留め具により弾性的に固定する構造のものが案出されている（例えば、特許文献１参照）。
【０００３】
【特許文献１】特許第３４５５２０６号
【発明の開示】
【発明が解決しようとする課題】
【０００４】
しかしながら、上記の構造のものにあっては、その取付けに際し、まず、屋根に固定した架台支持具に対し取付け枠桟を構成する支持杆材を単にボルト着するものであるから、その固定すべき位置決め作業が面倒であり、そして、支持杆材に取付け枠桟を構成するパネル取付杆材を留め具により弾性的に固定するものであるから、留め具をいちいちその弾性力に抗して変形させなくてはならず、その作業が面倒であり、いずれも作業性の悪化を招来するのものであった。
そこで、本発明は、屋根上等に設置する太陽光発電パネル等の取付け枠桟を、簡単な作業で取付け固定することができる太陽光発電パネル等を屋根上等に設置するための取付け枠桟用の固定装置を提供することにある。
【課題を解決するための手段】
【０００５】
上記した課題は、各請求項記載の発明によって解決される。
請求項１記載の発明は、太陽光発電パネル等を屋根上等に設置するための取付け枠桟用の固定装置であって、屋根部材側に固定される固定部材と、該固定部材に対し屋根の流れ方向への移動可能に組付けられかつ上面に前記取付け枠桟を載置する可動部材と、該可動部材に対し取付け枠桟の一部を係合固止する固止部材とを備え、前記固定部材には前記可動部材が当接され該可動部材の流れ方向における下方端の位置を規制する規制部を設け、前記可動部材の一方側には前記取付け枠桟の一部と係合して固止する係合固止部を形成するとともに、該係合固止部と対向する他方側には前記固止部材の締め付け固止用の取付け部を形成してなるを要旨とする。
【０００６】
この発明によれば、屋根上に対して取付け枠桟を取付け固止するに際し、固定部材に対して可動部材を組み付けすることにより該可動部材を固定部材の規制部によってその屋根に対する流れ方向における下方端の位置決めを行い、その状態において該可動部材の係合固止部に取付け枠桟の一部を係合して固止するとともに、該係合固止部と対向する他方側の固止部材の締め付け固止により該取付け枠桟を固定することができ、固定部材、可動部材、係合固止部材の少なくとも三部材により屋根上に対して取付け枠桟を簡易な構造でかつ簡単な作業で取付け固止することができる。
【０００７】
請求項２記載の発明は、請求項１記載の太陽光発電パネル等を屋根上等に設置するための取付け枠桟用の固定装置であって、前記固定部材の基板は屋根の流れ方向上方に指向される先端面を、先端を尖らせた斜状に形成し、該基板には前記屋根部材側に固定するための締付け固定部材が挿通される取付け孔を形成するとともに、該取付け孔周囲を該基板面から上方に隆起してなるを要旨とする。
【０００８】
この発明によれば、上記固定部材の基板は屋根の流れ方向上方に指向される先端面を、先端を尖らせた斜状に形成することと、該基板には前記屋根部材側に固定するための締付け固定部材が挿通される取付け孔周囲を該基板面から上方に隆起することとにより、屋根に対する固定部材の固定状態において、屋根上を流れる雨水等が固定部材に滞留することなく、また、その取付け部位から屋根の裏側に雨水等が浸入することを未然に防止し、その雨仕様を良化向上することができる。
【０００９】
請求項３記載の発明は、請求項１または２記載の太陽光発電パネル等を屋根上等に設置するための取付け枠桟用の固定装置であって、前記固定部材に対し可動部材を移動可能にかつ該固定部材からの抜脱不能に一体に組み付けたことを要旨とする。
【００１０】
この発明によれば、固定部材と可動部材との組み付け作業がきわめて簡単になし得る。
【００１１】
請求項４記載の発明は、請求項３記載の太陽光発電パネル等を屋根上等に設置するための取付け枠桟用の固定装置であって、前記可動部材には固定部材を固定する工具挿入用の操作空所を形成したことを要旨とする。
【００１２】
この発明によれば、固定部材と可動部材と一体に組み付けた構造にも拘わらず、工具挿入用の操作空所を利用することにより、屋根部材に対する固定部材の固定作業を簡単に行うことができる。
【００１３】
請求項５記載の発明は、請求項１〜４記載のいずれか１の請求項記載の太陽光発電パネル等を屋根上等に設置するための取付け枠桟用の固定装置であって、係合固止部を可動部材の基板に対して所望の角度に傾斜した斜状係合固止部となしたことを要旨とする。
【００１４】
この発明によれば、可動部材の係合固止部を斜状係合固止部とすることにより、屋根の下がり棟に沿って取付け枠桟が配設（斜め状態で配設）される場合、その斜め配設状態に簡易に対応して、該取付け枠桟を取付け固止することができる。
【００１５】
請求項６記載の発明は、請求項５記載の太陽光発電パネル等を屋根上等に設置するための取付け枠桟用の固定装置であって、前記固止部材には前記斜状係合固止部に対向する斜状固止片が形成可能に構成されたことを要旨とする。
【００１６】
この発明によれば、屋根の桁行き方向に配設された取付け枠桟の端部から斜め状態に配設された取付け枠桟とにおけるコーナー部位の取付け固止に簡単に対応することができる。
【発明を実施するための最良の形態】
【００１７】
次に、本発明を実施するための最良の形態について、実施例にしたがって説明する。
【実施例】
【００１８】
図１〜図６に示すように、本実施例の固定装置は、屋根部材W側に固定される固定部材１と、該固定部材１に対し屋根の流れ方向（図２の矢印Ａ方向）への移動可能に組付けられかつ上面に取付け枠桟Ｙを載置する可動部材２と、該可動部材２に対し取付け枠桟Ｙの一部を係合固止する固止部材３とからその主体部が構成されている。
【００１９】
前記固定部材１は、図１および２に示すように、平板状の基板４と、該基板４の両側縁に一体的に起立された断面ほぼコ字状の一対の案内レール部５、５とから構成され、その基板４の２箇所には屋根部材Ｗ側に固定するための後述する締め付けネジ等の締付け固定部材が挿通される取付け孔６、６が貫設され、該取付け孔６，６周囲を該基板４面から上方に隆起した膨出部７，７となしている。
【００２０】
また、前記基板４における一対の案内レール部５、５の一方端部には、可動部材２の組み付け状態において該可動部材２の端部が当接されて屋根に対する取付け時において可動部材２の流れ方向における下方端の位置を規制する規制部８，８が下方に向けて一体的に曲折形成され、基板４の他方端は、その取付け状態において屋根の流れ方向上方に指向される先端面を、先端を尖らせた斜状面９として形成されている。なお、この斜状面９は図示のように両傾斜の山形状としたが、片側傾斜の山形状でもよい。
【００２１】
前記可動部材２は、図１および５に示すように、平板状の基板１０と、該基板１０の両側縁部に一体的に垂設された断面ほぼコ字状の一対の係合部１１、１１とから構成され、前記固定部材１に対しその案内レール部５、５に係合部１１、１１を摺動（移動）可能に挿通することによって組み込まれるものであり、その組み付け状態において該可動部材２の端部が規制部８，８に当接されることによって屋根に対する取付け時における流れ方向の下方端の位置が規制されるものである。
【００２２】
また、可動部材２の基板１０の一方端側には前記取付け枠桟Ｙの一部（この実施例では一方のフランジＹ１）と係合固止するほぼコ字状の係合固止部１２が一体的の曲折形成され、該係合固止部１２と対向する他方側には前記固止部材３の締め付け固止用のネジ孔等の取付け部１３が形成されている。なお、可動部材２の基板１０のほぼ中央部には固定部材１を固定する締付け固定部材の工具挿入用の操作用空所１４がくり貫き形成されている。
【００２３】
前記固止部材３は図１および６に示すように、そのほぼ両側部に湾曲部が形成された平板状からなり、可動部材２に対し取付け枠桟Ｙの一部（この実施例では他方のフランジＹ２）を係合固止するための固止用ネジ等の締付け固定部材１５の挿通孔１６が形成されている。
【００２４】
上記のように構成された本実施例の固定装置にあっては、図１および２に示すように、屋根部材Ｗ上に対し、固定部材１を、その先端を尖らせた斜状面９を屋根の流れ方向上方に指向するように位置させた状態において、取付け孔６，６を介して締め付けネジ等の締付け固定部材１７，１７により締め付け固定する。
【００２５】
次いで、上記状態において、前記固定部材１に対しその案内レール部５、５に可動部材２の係合部１１、１１を摺動（移動）可能に挿通することによって、該可動部材２を固定部材１に移動可能に組み付けられた状態となる。この場合、該可動部材２はその係合固止部１２を屋根の流れ方向下方に向けて組み付けられるとともに、その端面が固定部材の規制部８，８に当接されることによって屋根に対する取付け時における流れ方向の下方端の位置が規制されるものである。すなわち、後述する取付け枠桟Ｙの取付け位置を決定（位置決め）することができる。
【００２６】
なお、可動部材２を、固定部材１が屋根部材Ｗに締め付け固定する前に該固定部材１に組み付けた場合、屋根部材Ｗに対する固定部材１の締め付け固定作業は、可動部材２を移動させながらその操作用空所１４から工具等を挿通して行うことができる。
【００２７】
そして、上記状態において、図７に示すように、可動部材２の係合固止部１２に取付け枠桟Ｙの一部（この実施例では一方のフランジＹ１）を係合して固止するとともに、該係合固止部１２と対向する他方側において、前記取付け枠桟Ｙの一部（この実施例では他方のフランジＹ２）を固止部材３により係合するとともに、該固止部材３をその挿通孔１６に挿通された固止用ネジ等の締付け固定部材１５を可動部材２の取付け部１３に螺入して締め付け固止する。
【００２８】
これによって、該取付け枠桟Ｙを屋根部材Ｗ上に固定することができ、固定部材１、可動部材２、固止部材３の少なくとも三部材により屋根上に対して取付け枠桟Ｙを簡易な構造でかつ簡単な作業で取付け固止することができ。図８に示すように、取付け枠桟Ｙに対して太陽光発電パネル等Ｐを組み付けるものである。
【００２９】
そして、本実施例においては、固定部材１の基板４における屋根の流れ方向上方に指向される先端面を、先端を尖らせた斜状面９に形成することと、該基板４には前記屋根部材Ｗ側に固定するための締付け固定部材１７、１７が挿通される取付け孔６、６周囲を該基板４面から上方に隆起する膨出部７、７とすることとにより、屋根に対する固定部材１の固定状態において、屋根上を流れる雨水等が固定部材１に滞留することなく、また、その取付け部位から屋根の裏側に雨水等が浸入することを未然に防止し、その雨仕様を良化向上することができる。
【００３０】
なお、本実施例における固定部材１と可動部材２とを、図９および１０に示すように、予め一体的に移動可能に組み付けた構造とすることもでき、この場合は、固定部材１から可動部材２が抜脱不能にするために係止用の止め片２０、２０を形成するものであり、また、可動部材２の基板１０のほぼ中央部には固定部材１を固定する締付け固定部材の工具挿入用の操作用空所１４をくり貫き形成するものであり、屋根部材Ｗに対する固定部材１の締め付け固定作業は、可動部材２を移動させながらその操作用空所１４から工具等を挿通して行うことができる。
【００３１】
また、本実施例においては、可動部材２における係合固止部１２を該可動部材２の基板１０の端面に沿って（取付け状態において屋根の桁行き方向に水平状となるように）設けたが、これに代えて、図１１に示すように、所望の角度の斜状に形成した斜状係合阻止部１２Ａとしてもよく、この場合には、斜状係合阻止部１２Ａにより固止部材２は、取付け枠桟Ｙの一部（一方のフランジＹ１）を係合して固止するとともに、可動部材２に対して固止部材３を該斜状に対向する斜め状態にして取付け枠桟Ｙの一部（他方のフランジＹ２）を締め付け用の固定部材１５により締め付け固定するものであり、屋根の下がり棟に沿って取付け枠桟Ｙを配設（斜め状態で配設）する場合、その斜め配設状態に簡易に対応して、該取付け枠桟Ｙを取付け固止することができる。なお、図中、前記実施例と同一部材については、図中同一符号を付してその説明を省略する。
【００３２】
さらには、図１２に示すように可動部材２における前記斜状係合阻止部１２Ａをその端部の半分の部位に形成し、これに対向する固止部材３を、前記斜状係合固止部１２Ａに対応する斜状固止片３Ａと、水平状態に対応する固止片３Ｂとから分割形成するようにしてもよく、この構成によって、斜め状態で配設された取付け枠桟Ｙの一部（一方のフランジＹ１）を前記斜状係合固止部１２Ａにより係合して位置決めするとともに、固定部材３における斜状固止片３Ａを前記取付け枠桟Ｙの一部（他方のフランジＹ２）の上面に当て、さらに、水平状態の取付け枠桟Ｙの一部（一方のフランジＹ１）に水平状態に対応する固止片３Ｂを当て、この斜状固止片３Ａと固止片３Ｂとを締め付け用の固定部材１５により取付け部１３に対して締め付け固定するものであり、屋根の桁行き方向に配設された取付け枠桟Ｙの端部から斜め状態に配設された取付け枠桟Ｙとにおけるコーナー部位の取付け固止に簡単に対応することができる。この場合、斜状固止片３Ａと固止片３Ｂが同一面にて取付け枠桟Ｙの一部（他方のフランジＹ２）の上面に当接するように、一方の固止片３Ｂを曲折形成されている。なお、図中、前記実施例と同一部材については、図中同一符号を付してその説明を省略する。
【図面の簡単な説明】
【００３３】
【図１】本発明の一実施の形態に係る固定装置の分解斜視図である。
【図２】固定部材と可動部材との組み付け状態を示す側断面図である。
【図３】同じく平面図である。
【図４】（ａ）は固定部材の平面図、（ｂ）側断面図である。
【図５】（ａ）は可動部材の平面図、（ｂ）側断面図である。
【図６】（ａ）は固止部材の平面図、（ｂ）側断面図である。
【図７】固定部材と可動部材と固止部材および取付け枠桟Ｙの組み付け状態を示す側断面図である。
【図８】固定部材と可動部材と固止部材および取付け枠桟Ｙ、太陽光発電パネル等の組み付け状態を示す側断面図である。
【図９】固定部材と可動部材との組み付け状態の別例を示す斜視図である。
【図１０】同じく、固定部材と可動部材との組み付け状態の別例を示す斜視図である。
【図１１】可動部材と固止部材の別例を示す平面図である。
【図１２】同じく可動部材と固止部材の別例を示す平面図である。
【符号の説明】
【００３４】
１  固定部材
２  可動部材
３  固止部材
８  規制部
１２  係合固止部
１３  取付け部
【図１】
2005314898.tif 000003
【図２】
2005314898.tif 000004
【図３】
2005314898.tif 000005
【図４】
2005314898.tif 000006
【図５】
2005314898.tif 000007
【図６】
2005314898.tif 000008
【図７】
2005314898.tif 000009
【図８】
2005314898.tif 000010
【図９】
2005314898.tif 000011
【図１０】
2005314898.tif 000012
【図１１】
2005314898.tif 000013
【図１２】
2005314898.tif 000014